(57)【特許請求の範囲】
【請求項１】
棚本体の上面に、直線又は略直線状となった後端辺側に向けて下り傾斜した水勾配を設け、該棚本体の後端辺の長手方向の複数個所から後方に向けて表面張力破壊用の小突起を突設して成ることを特徴とする水廻り用棚。
【請求項２】
小突起の上面が棚本体の上面と面一となっていることを特徴とする請求項１記載の水廻り用棚。
【請求項３】
小突起の上面の突出先端部が先端程下となるように下り傾斜した下り傾斜面となっていることを特徴とする請求項１又は２記載の水廻り用棚。
【発明の詳細な説明】
【技術分野】
【０００１】
本発明は、表面張力で残水が残りにくい水廻り用棚に関するものである。
【背景技術】
【０００２】
浴室、シャワールーム、洗面ルーム、キッチン等の水廻り空間に配設される水廻り用棚として特許文献１などが知られている。
【０００３】
ところで、水廻り空間に配設される水廻り用棚４は、水がかかって水浸しになるので、上面１ａにかかった水Ｗをすばやく排水し、上面１ａに残水が残らないようにする必要がある。
【０００４】
上面１ａにかかった水を排水するため、従来は、図９に示すように、水廻り用棚４の上面１ａに後端辺２側に向けて１度〜５度程度の水勾配を設け、水廻り用棚４の上面１ａにかかった水Ｗを後端辺２側に排水するようにしている。
【０００５】
しかし、従来の水廻り用空間に配置される水廻り用棚４の後端辺２は一般的に直線で形成されており、このように直線で形成された後端辺２では、一律に表面張力が発生するため図８に示すように、水廻り用棚４上面１ａの端部に表面張力で水Ｗが残水として残るという問題がある。
【０００６】
なお、図９においては、後端辺２の中央部に下方に向けて取付け脚５を垂設し、壁面７に取付けた受け具８の嵌め込み凹部９に取付け脚５を嵌め込んで取付けるようになっており、このため、水廻り用棚４の後端辺２の中央部においては、残水が毛細管現象により受け具８側に吸い寄せられ、残水がなく、したがって、水廻り用棚４の後端辺２の両側に表面張力で水Ｗが残水として残ることになる。
【先行技術文献】
【特許文献】
【０００７】
【特許文献１】特開２００９−２６１６２４号公報
【発明の概要】
【発明が解決しようとする課題】
【０００８】
本発明は、上記の従来例の問題点に鑑みて発明したものであって、簡単な構成で後端辺における表面張力を破壊して効果的に排水し、後端辺に沿って表面張力により残水が残るのを抑制することができる水廻り用棚を提供することを課題としている。
【課題を解決するための手段】
【０００９】
上記課題を解決するために、本発明は、以下のような構成になっている。
【００１０】
本発明の水廻り用棚は、棚本体１の上面１ａに、直線又は略直線状となった後端辺２側に向けて下り傾斜した水勾配を設け、該棚本体１の後端辺２の長手方向の複数個所から後方に向けて表面張力破壊用の小突起３を突設して成ることを特徴とするものである。
【００１１】
このような構成とすることで、棚本体１の上面１ａにかかった水Ｗは水勾配に沿って後端辺２に流れて排水する際、最後に後端辺に沿って水Ｗが表面張力で残水として残ろうとするが、該残水が小突起３の上面に進み、後端辺２における表面張力にばらつきを生じさせて表面張力を破壊させ、小突起３周囲から水Ｗを排水させて、表面張力により残水が残るのを抑制することができる。
【００１２】
また、小突起３の上面３ａが棚本体１の上面１ａと面一となっていることが好ましい。
【００１３】
このような構成とすることで、棚本体１の上面１ａから後端辺２に流れた水がそのまま小突起３の上面３ａにスムーズに流れて排水され、後端辺２に表面張力により残水が残るのを抑制できる。
【００１４】
また、小突起３の上面３ａの突出先端部が先端程下となるように下り傾斜した下り傾斜面３ｂとなっていることが好ましい。
【００１５】
このような構成とすることで、棚本体１の上面１ａから後端辺２を経て小突起３の上面３ａに流れた水が小突起３の突出先端部の下り傾斜面３ｂからスムーズに下方に流れ落ち、これによりよりいっそう後端辺２に表面張力により残水が残るのを抑制できる。
【発明の効果】
【００１６】
本発明は、上記のように、棚本体の直線又は略直線状となった後端辺に表面張力破壊用の小突起を外側方に向けて突設してあるので、後端辺における表面張力にばらつきを生じさせて表面張力を破壊させ、小突起周囲から水を排水させて、表面張力により残水が残るのを抑制することができる。
【図面の簡単な説明】
【００１７】
【図１】本発明の水廻り用棚の一実施形態の斜視図である。
【図２】同上の図１のＡ部の拡大斜視図である。
【図３】同上の平面図である。
【図４】同上の水廻り用棚の取付け状態の断面図である。
【図５】（ａ）（ｂ）（ｃ）は同上の水の表面張力を破壊して排水する順序を示す説明図である。
【図６】本発明の他の実施形態の斜視図である。
【図７】（ａ）（ｂ）は後端辺の傾斜面、アール面とした例を示す拡大斜視図である。
【図８】従来例を示す取付け状態の平面図である。
【図９】従来例の取付け状態の断面図である。
【発明を実施するための形態】
【００１８】
以下、本発明を添付図面に示す実施形態に基づいて説明する。
【００１９】
図１乃至図５には本発明の水廻り用棚４の一実施形態が示してあり、図６には水廻り用棚４の他実施形態が示してある。
【００２０】
水廻り用棚４は、板状をした棚本体１と、棚本体１の後端辺２から垂設した取付け脚５とで構成してある。図１は小型の水廻り用棚４の例で後端辺２の長手方向の中央部から取付け脚５を垂設してあり、図６は大型の水廻り用棚４の例で後端辺２の長手方向の２箇所から取付け脚５が垂設してある。
【００２１】
棚本体１の前端辺、左右端辺には立上り突片６が突設してあって、棚本体１の上面１ａに乗せる載置物が前端辺、左右端辺からこぼれ落ちないようになっている。棚本体１の上面１ａは後端辺２側に向けて下り傾斜していて水勾配が設けてある。この水勾配の角度は、棚本体１の上面１ａにシャンプー、石鹸などの容器を載せた場合、これらの容器の載置に支障ないような勾配、例えば１度〜５度の勾配となっている。
【００２２】
棚本体１の後端辺２は直線又は略直線状となっており、この後端辺２に表面張力破壊用の小突起３を外側方（図の実施形態では後方）に向けて突設してあり、小突起３部分で後端辺２の直線又は略直線を分断している。
【００２３】
小突起３は後端辺２の長手方向の複数個所に突設してあるが、取付け脚５を垂設している箇所を除いた部位に複数突設してある。
【００２４】
図１に示す実施形態では、後端辺２の長手方向の両端部付近からそれぞれ小突起３を突設した例が示してある。
【００２５】
また、図６に示す実施形態では、上記したように後端辺２の長手方向の２箇所から取付け脚５が垂設してあり、後端辺２の長手方向の両端と取付け脚５との間に１乃至複数の小突起３を突設し、また、後端辺２の取付け脚５間を均等分割するように１乃至複数の小突起３を突設してある。
【００２６】
いずれの実施形態においても、後端辺２の長手方向の端部に突設する小突起３は、図２に示すように、棚本体１の上面１ａと立上り突片６の内側面とのなすコーナ部分がアール面となっているので、後端辺２の長手方向の端部の上記アール面の終わり部分に対応する部位から小突起３が突設するのが好ましい。
【００２７】
また、図６に示す実施形態において、複数の小突起３は、例えば、取付け脚５と小突起３間、小突起３間の間隔が数十ｍｍ（例えば５０ｍｍ）となるように設定してある。
【００２８】
小突起３の上面３ａは平面視で先端部ほど巾が狭くなっており、添付図面には平面視台形状の例が示してある。上記小突起３の上面３ａは棚本体１の上面１ａと面一に連続しており、該小突起３の上面３ａの突出先端部が先端程下となるように下り傾斜した下り傾斜面３ｂとなっている。
【００２９】
該小突起３の大きさは、突出長さ、突出巾が数ｍｍであり、例えば、小突起３の突出長さが３ｍｍ、突出基部から下り傾斜面３ｂまでの長さが２ｍｍ、突出基部の横巾が７ｍｍ、突出先端の横巾が５ｍｍとなっている。
【００３０】
上記の構成の水廻り用棚４は、浴室、シャワールーム、洗面ルーム、キッチン等の水廻り空間の壁面７に取付けられる。
【００３１】
図４には取付けの一例が示してあり、壁面７に受け具８を取付け、該受け具８の嵌め込み凹部９に取付け脚５を嵌め込むことで水廻り用棚４を取付けるようになっている。
【００３２】
水廻り用棚４の壁面７への取付けに当たっては、上記例に限定されず、他の任意の取付け手段を採用することができるのは勿論である。
【００３３】
水廻り用棚４の棚本体１の後端辺２と壁面７との間には小隙間が生じるように取付け、小突起３は突出先端が壁面７に非接触となるように取付ける。
【００３４】
上記のようにして取付けた水廻り用棚４の棚本体１の上面１ａにはシャンプー、石鹸などの容器を乗せて使用する。水廻り用棚４は水廻り空間に配設してあるので水Ｗがかかる。水廻り用棚４にかかった水Ｗは、上面１ａに形成した水勾配に沿って後端辺２側に流れ、後端辺２から後端辺２と壁面７との小隙間から下方に流下する。
【００３５】
このように後端辺２から水Ｗを流下して排水する最後において、直線状又は略直線状をした後端辺２に沿って表面張力が働いて残水が残るという現象が発生する。
【００３６】
しかしながら、本発明においては、上記のように、直線又は略直線状となった後端辺２の長手方向の複数個所から後方に向けて表面張力破壊用の小突起３を突設してあるので、直線又は略直線状となった後端辺２に沿って表面張力で残水が残ろうとしても、図５（ａ）のように小突起３の上面に水Ｗが進み、表面張力にばらつきを生じさせて表面張力を破壊させ、図５（ｂ）→図５（ｃ）のように小突起３周囲から水Ｗを排水し、後端辺２に沿って表面張力により残水が残るのを抑制する。
【００３７】
ここで、前述のように、小突起３の上面３ａが棚本体１の上面１ａと面一となっているので、棚本体１の上面１ａから後端辺２に流れた水Ｗがそのまま小突起３の上面３ａにスムーズに流れて排水され、後端辺２に表面張力により残水が残るのを抑制できる。また、小突起３の上面３ａの突出先端部が下り傾斜面３ｂとなっているので、棚本体１の上面１ａから後端辺２を経て小突起３の上面３ａに流れた水Ｗが小突起３の突出先端部の下り傾斜面３ｂからスムーズに下方に流れ落ち、これによりよりいっそう後端辺２に表面張力により残水が残るのを抑制することができる。
【００３８】
更に、添付図面に示すように、小突起３の上面３ａを平面視で先端部ほど巾が狭くなるようにすることで、棚本体１の上面１ａから後端辺２を経て小突起３の上面３ａに流れた水Ｗが、小突起３の上面３ａを流れながら自然と両側及び先端から下方に流下して、後端辺２側において表面張力で残ろうとする水Ｗを吸引することになり、よりいっそう後端辺２に沿って表面張力により残水が残るのを抑制できる。
【００３９】
なお、後端辺２の取付け脚５を垂設した箇所においては、毛細管現象により受け具８側に吸い寄せられるので、この部分においては残水がない。
【００４０】
なお、後端辺２を図７（ａ）のようにアール面１０や傾斜面を形成して、後端面からの排水をよくするようにしたものにおいて、本発明のように小突起３を突設して残水が表面張力で残らないようにしてもよい。このものにおいては、排水がスムーズで且つ表面張力で残水が残らないようにできる。
【００４１】
この場合、図７（ｂ）のように棚本体１の上面１ａよりも小突起３の上面３ａを低く位置させ、アール面１０や傾斜面となった後端辺２のアール面１０や傾斜面を経て小突起３の上面３ａに水Ｗが流れるようにしてもよい。
【００４２】
なお、本発明の応用技術として後端辺２に小突起３を上方に突設して水Ｗの表面張力を破壊するようにすることも考えられる。
【符号の説明】
【００４３】
１  棚本体
１ａ  上面
２  端辺
３  小突起
３ａ  上面
３ｂ  下り傾斜面
【図１】
0005421743.tif 000002
【図２】
0005421743.tif 000003
【図３】
0005421743.tif 000004
【図４】
0005421743.tif 000005
【図５】
0005421743.tif 000006
【図６】
0005421743.tif 000007
【図７】
0005421743.tif 000008
【図８】
0005421743.tif 000009
【図９】
0005421743.tif 000010